(57)【要約】【目的】  簡単な構成で開き戸における指詰め事故を未然に防止する。【構成】  開き戸800 の上縁部に埋め込まれる本体100 と、本体100 に進退可能に挿入された上下スライドピン200 と、ピン200 を本体100 から突出する方向に弾発付勢する弾性体300 と、ピン200 の上端に設けられた本体側磁石400 と、開き戸800 の取付枠900 のうち、本体100 と対応する位置に設けられた凹部910 にはめ込まれる枠側部材500 と、枠側部材500 に取り付けられたマグネットホルダー600 と、マグネットホルダー600 に設けられる枠側磁石700 とを有し、両磁石400,700 とでは対向する側が同極になっており、開き戸800 がゆっくりと閉じられると、ピン200 は両磁石400,700 の反発によって本体100 の内部に入り込み、開き戸800 が素早く閉じられると、ピン200 は両磁石400,700 との反発による本体100 の内部への入り込みが間に合わず、本体100 から突出状態のピン200 が取付枠900 に引っ掛かり、開き戸800 が閉じられない。【選択図】      図４
2005113402.tif 000002
【特許請求の範囲】
【請求項１】
開き戸の上縁部に埋め込まれる筒状の本体と、この本体に進退可能に挿入された上下スライドピンと、この上下スライドピンを前記本体から突出する方向に弾発付勢する弾性体と、この上下スライドピンの上端に設けられた本体側磁石部と、前記開き戸の取付枠のうち、前記本体と対応する位置に設けられた凹部にはめ込まれる枠側部材と、この枠側部材に取り付けられたマグネットホルダーと、このマグネットホルダーに設けられる枠側磁石とを具備しており、前記本体側磁石と枠側磁石とでは対向する側が同じ極になっており、開き戸がゆっくりと閉じられると、上下スライドピンは本体側磁石と枠側磁石との反発によって本体の内部に入り込み、開き戸が素早く閉じられると、上下スライドピンは本体側磁石と枠側磁石との反発による本体の内部への入り込みが間に合わず、本体から突出した状態の上下スライドピンが前記取付枠に引っ掛かり、開き戸が閉じられないことを特徴とする開き戸の指詰め防止装置。
【請求項２】
前記本体は、筒状の外筒部と、この外筒部の内面側にねじ込まれる内筒部とを具備しており、前記上下スライドピンは、前記内筒部に対して進退可能になっていることを特徴とする請求項１記載の開き戸の指詰め防止装置。
【請求項３】
前記マグネットホルダーは、枠側部材に対して軸によって回動可能に取り付けられており、枠側部材には、マグネットホルダーの枠側磁石の位置を変化させる位置変化手段が設けられていることを特徴とする請求項１又は２記載の開き戸の指詰め防止装置。
【発明の詳細な説明】
【技術分野】
【０００１】
本発明は、開き戸による指詰めを防止する開き戸の指詰め防止装置に関する。
【背景技術】
【０００２】
数多く使用されている開き戸には、取付枠との間で指等を詰めて怪我をする指詰め事故があった。かかる指詰め事故を防止するための技術として、人体の電位・静電容量を検出し、人が開き戸に触れているか否かを検知し、触れている場合には開き戸の回転軸近くに硬質金属を差し込んで、指詰め事故を防止するものがあった（特許文献１参照）。
【０００３】
また、開き戸と取付枠とのヒンジの反枢支側にカバーを取り付ける技術もある（特許文献２参照）。
【０００４】
【特許文献１】特開２００１−４０９３５号公報
【特許文献２】特開平１０−７２９７３号公報
【発明の開示】
【発明が解決しようとする課題】
【０００５】
しかしながら、特許文献１に記載された技術は、人体の電位・静電容量を検出するセンサーや、硬質金属を差し込むためのモータ等が必要となり、高価なものとなりがちであった。
【０００６】
また、特許文献２に記載された技術では、開き戸の基端側における指詰め事故は防止可能であるが、開き戸の反基端側、すなわちより多く回動する部分における指詰め事故は防止できないものである。
【０００７】
本発明は上記事情に鑑みて創案されたものであって、簡単な構成で開き戸における指詰め事故を未然に防止することができる開き戸の指詰め防止装置を提供することを目的としている。
【課題を解決するための手段】
【０００８】
本発明に係る開き戸の指詰め防止装置は、開き戸の上縁部に埋め込まれる筒状の本体と、この本体に進退可能に挿入された上下スライドピンと、この上下スライドピンを前記本体から突出する方向に弾発付勢する弾性体と、この上下スライドピンの上端に設けられた本体側磁石部と、前記開き戸の取付枠のうち、前記本体と対応する位置に設けられた凹部にはめ込まれる枠側部材と、この枠側部材に取り付けられたマグネットホルダーと、このマグネットホルダーに設けられる枠側磁石とを備えており、前記本体側磁石と枠側磁石とでは対向する側が同じ極になっており、開き戸がゆっくりと閉じられると、上下スライドピンは本体側磁石と枠側磁石との反発によって本体の内部に入り込み、開き戸が素早く閉じられると、上下スライドピンは本体側磁石と枠側磁石との反発による本体の内部への入り込みが間に合わず、本体から突出した状態の上下スライドピンが前記取付枠に引っ掛かり、開き戸が閉じられないようになっている。
【発明の効果】
【０００９】
本発明に係る開き戸の指詰め防止装置は、開き戸の上縁部に埋め込まれる筒状の本体と、この本体に進退可能に挿入された上下スライドピンと、この上下スライドピンを前記本体から突出する方向に弾発付勢する弾性体と、この上下スライドピンの上端に設けられた本体側磁石部と、前記開き戸の取付枠のうち、前記本体と対応する位置に設けられた凹部にはめ込まれる枠側部材と、この枠側部材に取り付けられたマグネットホルダーと、このマグネットホルダーに設けられる枠側磁石とを備えており、前記本体側磁石と枠側磁石とでは対向する側が同じ極になっており、開き戸がゆっくりと閉じられると、上下スライドピンは本体側磁石と枠側磁石との反発によって本体の内部に入り込み、開き戸が素早く閉じられると、上下スライドピンは本体側磁石と枠側磁石との反発による本体の内部への入り込みが間に合わず、本体から突出した状態の上下スライドピンが前記取付枠に引っ掛かり、開き戸が閉じられないようになっている。
【００１０】
このため、この開き戸の指詰め防止装置であると、従来者より構成が簡単で安価とすることができる。しかも、磁石の反発力を用いているので、簡単な構成でありながら、確実に指詰め事故を防止することが可能となる。
【００１１】
また、前記本体は、筒状の外筒部と、この外筒部の内面側にねじ込まれる内筒部とを有し、前記上下スライドピンは、前記内筒部に対して進退可能になっていると、内筒部の外筒部に対するねじ込み具合を調整することによって、上下スライドピンの突出量を変更することができる。上下スライドピンの突出量は、上下スライドピンが磁石の反発によって本体に入り込むため開き戸がスムーズに閉じられるか、それとも上下スライドピンが本体に入り込めず、開き戸がスムーズに閉じられないかという点に関係するので、指詰め防止が図られる開き戸の開閉スピードを調整することが可能となる。
【００１２】
前記マグネットホルダーは、枠側部材に対して軸によって回動可能に取り付けられており、枠側部材には、マグネットホルダーの枠側磁石の位置を変化させる位置変化手段が設けられていと、これも指詰め防止が図られる開き戸の開閉スピードを調整することが可能となる。
【発明を実施するための最良の形態】
【００１３】
図１は本発明に係る開き戸の指詰め防止装置を構成する本体等を示す概略的断面図、図２は本発明に係る開き戸の指詰め防止装置を構成する枠側部材を示す図面であって、同図（Ａ）は概略的底面図、同図（Ｂ）は概略的正面図、同図（Ｃ）は概略的側面図、図３は本発明に係る開き戸の指詰め防止装置を構成するマグネットホルダーを示す図面であって、同図（Ａ）は概略的正面図、同図（Ｂ）は概略的側面図、図４は本発明に係る開き戸の指詰め防止装置の動作を示す図面であって、同図（Ａ）は閉じない場合の概略的説明図、同図（Ｂ）は閉じた場合の概略的説明図、図５は本発明に係る開き戸の指詰め防止装置と開き戸や取付枠との関係を示す概略的斜視図である。
【００１４】
本発明に係る開き戸の指詰め防止装置は、開き戸８００の上縁部に埋め込まれる筒状の本体１００と、この本体１００に進退可能に挿入された上下スライドピン２００と、この上下スライドピン２００を前記本体１００から突出する方向に弾発付勢する弾性体３００と、この上下スライドピン２００の上端に設けられた本体側磁石４００と、前記開き戸８００の取付枠９００のうち、前記本体１００と対応する位置に設けられた凹部９１０にはめ込まれる枠側部材５００と、この枠側部材５００に取り付けられたマグネットホルダー６００と、このマグネットホルダー６００に設けられる枠側磁石７００とを備えており、前記本体側磁石４００と枠側磁石７００とでは対向する側が同じ極になっており、開き戸８００がゆっくりと閉じられると、上下スライドピン２００は本体側磁石４００と枠側磁石７００との反発によって本体１００の内部に入り込み、開き戸８００が素早く閉じられると、上下スライドピン２００は本体側磁石４００と枠側磁石７００との反発による本体１００の内部への入り込みが間に合わず、本体１００から突出した状態の上下スライドピン２００が前記取付枠９００に引っ掛かり、開き戸８００が閉じられないようになっている。
【００１５】
図５に示すように、前記開き戸８００は、一方の縦辺においてヒンジ８５０によって取付枠９００に開閉可能に取り付けられるものである。
【００１６】
前記本体１００は、筒状の外筒部１１０と、この外筒部１２０の内面側にねじ込まれる筒状の内筒部１２０とから構成されている。外筒部１１０は、本体１００の最も外側を構成するものであって、内面には雌ねじ部（図示省略）が形成されている。また、この外筒部１１０の上端部には、フランジ部１１１が形成されている。さらに、この外筒部１１０の外周面には、対向した開口（図示省略）が開設されている。
【００１７】
一方、前記内筒部１２０は、外周面に前記雌ねじ部に対応する雄ねじ部（図示省略）が形成されている。従って、この内筒部１２０は、外筒部１１０に対してねじ込まれるようになっている。また、この内筒部１２０には、上下スライドピン２００が内装されている。この上下スライドピン２００は、天面である上端が閉じられており，この上端に本体側磁石４００がＳ極が上向きの状態で内側から取り付けられている。また、この上下スライドピン２００には、外周面に対向したスリット２１０が開設されている。かかる上下スライドピン２００の内側には、つる巻きバネである弾性体３００が内蔵されている。
【００１８】
弾性体３００は、前記開口及びスリット２１０を介して挿入されたスプリングピン３１０によって内筒部１２０、すなわち本体１００に対して下端部が固定されることになる。
【００１９】
従って、前記内筒部１２０の外筒部１１０に対するねじ込み具合を調整することにより、上下スライドピン２００の本体１００からの突出量を変更することができるようになっている。
【００２０】
一方、開き戸８００の取付枠９００の上縁部には凹部９１０が形成されている。この凹部９１０は、閉じた状態の開き戸８００の前記本体１００等と対向する位置に設けられている。
【００２１】
かかる凹部９１０には、図２に示す枠側部材５００が取り付けられている。この枠側部材５００は、例えばＡＢＳ樹脂等の合成樹脂からなり、平面視略逆Ｔ字形状に形成されている。この枠側部材５００は、Ｔ字の横軸に相当する部分である舌片部５１０と、Ｔ字の縦軸に相当する部分である保持部５２０とが一体に形成されたものである。
【００２２】
前記保持部５２０は、開き戸８００が閉じた状態にある場合、前記上下スライドピン２００を保持するピン用保持凹部５２１が設けられるとともに、後述するマグネットホルダー６００を保持するホルダー用保持凹部５２２が形成されている。前記ピン用保持凹部５２１の上側には、保持部５２０の先端から延出された抑止片５２３が位置している。この抑止片５２３は、後述するマグネットホルダー６００の変移量を規制するためのものである。
【００２３】
前記ピン用保持凹部５２１には、マグネットホルダー６００の位置を変化させるための位置変化手段を構成するビス６６０が螺合されるビス孔５２１Ａが開設されている。
【００２４】
また、前記ホルダー用保持凹部５２２の対向する側壁５２２Ａには、マグネットホルダー６００を回動可能に取り付けるための軸６５０が貫通する軸孔５２２Ｂがそれぞれ開設されている。
【００２５】
一方、前記舌片部５１０は、この枠側部材５００を取付枠９００の凹部９１０に固定するための部分であって、取付用ビス孔５１１がそれぞれ１つずつ開設されている。
【００２６】
前記マグネットホルダー６００は、図３に示すように、側面視略Ｌ字形状に形成されている。このマグネットホルダー６００も、例えばＡＢＳ樹脂等の合成樹脂から形成されている。このマグネットホルダー６００は、前記枠側部材５００に取り付けられた場合、ピン用保持凹部５２１の上側に位置し、前記抑止片５２３によって規制される規制片６１０と、枠側磁石７００が取り付けられる磁石用凹部６２１が形成されたマグネット部６２０とが一体に形成されたものである。そして、前記規制片６１０とマグネット部６２０とがつながった部分には前記軸６５０が貫通される軸用貫通孔６３０が開設されている。
【００２７】
なお、前記枠側磁石７００は、Ｓ極が下側を向くようにしてマグネットホルダー６００に取り付けられている。
【００２８】
かかるマグネットホルダー６００が枠側部材５００に取り付けられる、すなわちマグネットホルダー６００を枠側部材５００の所定の位置に置き、軸６５０を枠側部材５００の軸孔５２２Ｂと軸用貫通孔６３０と貫通させると、規制片６１０の先端は抑止片５２３の下側に位置し、規制片６１０の基端側はビス孔５２１Ａの上側に位置するようになる。
【００２９】
すなわち、ビス孔５２１Ａに螺合されたビス６６０を螺進させると、規制片６１０は押し上げられ、マグネット部６２０は軸６５０を中心として回動し、マグネット部６２０の枠側磁石７００は下側に移動する。しかし、ビス６６０をある程度螺進させると、規制片６１０と抑止片５２３とが接触するので、マグネット部６２０の移動量が規制されることになる。
【００３０】
このように組み合わせられた枠側部材５００及びマグネットホルダー６００は、舌片部５１０の取付用ビス孔５１１を用いて取付枠９００の凹部９１０に取り付けられる。なお、枠側部材５００等が前記凹部９１０から突出しないものであることはいうまでもない。
【００３１】
一方、開き戸８００には、本体１００と上下スライドピン２００とが開き戸８００の上縁部に予め開設された丸穴（図示省略）に圧入される。そして、本体１００の上端にはフランジ部１１１が設けられているので、このフランジ部１１１が開き戸の上縁部に接するまで出入されることになる。従って、開き戸８００の上縁部からは上下スライドピン２００のみが突出していることになる。
【００３２】
次に、上述した構成からなる開き戸の指詰め防止装置の動作等について、図４を参照しつつ説明する。
【００３３】
開いた開き戸８００をゆっくりと閉めた場合には、開き戸８００の上下スライドピン２００が凹部９１０に近づくと、すなわち開き戸８００が閉じかけるとマグネットホルダー６００の枠側磁石７００と上下スライドピン２００の本体側磁石４００とが反発しあい、上下スライドピン２００は弾性体３００の弾性力に抗して、本体１００の内部に入り込む。このため、開き戸８００は正常に閉じられる（図４（Ｂ）参照）。
【００３４】
開いた開き戸８００が急速に、すなわち指等を開き戸８００と取付枠９００との間に挟み込まれると危険な速度で閉じられた場合には、開き戸８００の上下スライドピン２００が凹部９１０に近づいても、すなわち開き戸８００が閉じかけてもマグネットホルダー６００の枠側磁石７００と上下スライドピン２００の本体側磁石４００との反発による上下スライドピン２００の弾性体３００に抗した本体１００の内部への入り込みが間に合わないため、上下スライドピン２００は突出した状態のまま、枠側部材５００に衝突する（図４（Ａ）参照）。これにより、開き戸８００は完全には閉まらず、開き戸８００と取付枠９００との間には隙間ができる。この隙間が、開き戸８００の先端と取付枠９００との間隔が５〜１０ｃｍ程度であると、指等を挟んで大きな怪我をするおそれが非常に少なくなる。
【００３５】
枠側部材５００のビス孔５２１に螺合されたビス６６０を螺進或いは螺退させるたとにより、マグネットホルダー６００に取り付けられた枠側磁石７００の位置を変更することができる。すなわち、閉じられつつある開き戸８００の本体側磁石４００と枠側磁石７００との間の距離を変更することができるので、磁石４００、７００同士の反発力を調整することが可能となる。従って、ビス６６０を操作することにより、上下スライドピン２００が本体１００に入り込む際の開き戸８００の閉じる速度を調整することが可能となる。
【図面の簡単な説明】
【００３６】
【図１】本発明に係る開き戸の指詰め防止装置を構成する本体等を示す概略的断面図である。
【図２】本発明に係る開き戸の指詰め防止装置を構成する枠側部材を示す図面であって、同図（Ａ）は概略的底面図、同図（Ｂ）は概略的正面図、同図（Ｃ）は概略的側面図である。
【図３】本発明に係る開き戸の指詰め防止装置を構成するマグネットホルダーを示す図面であって、同図（Ａ）は概略的正面図、同図（Ｂ）は概略的側面図である。
【図４】本発明に係る開き戸の指詰め防止装置の動作を示す図面であって、同図（Ａ）は閉じない場合の概略的説明図、同図（Ｂ）は閉じた場合の概略的説明図である。
【図５】本発明に係る開き戸の指詰め防止装置と開き戸や取付枠との関係を示す概略的斜視図である。
【符号の説明】
【００３７】
１００    本体
２００    上下スライドピン
３００    弾性体
４００    本体側磁石
５００    枠側部材
６００    マグネットホルダー
７００    枠側磁石
【図１】
2005113402.tif 000003
【図２】
2005113402.tif 000004
【図３】
2005113402.tif 000005
【図４】
2005113402.tif 000006
【図５】
2005113402.tif 000007